(57)【特許請求の範囲】
【請求項１】
環状部と該環状部から径方向内側に突出する複数のティース部とを有するステータコアがモータケースの内周面に固定され、
前記ステータコアは、前記環状部を周方向に分割した形状の分割環状部と該分割環状部毎に設けられる前記ティース部とからなる分割コアが周方向に複数並列されて構成されたステータの製造方法であって、
溶接用芯金の外周面に前記ティース部の径方向内側端部を当接させつつ該芯金の周りに前記分割コアを環状に配置した後、周方向に隣り合う前記分割環状部同士の間に間隙を持たせた状態で該各分割環状部間を溶接する溶接工程と、
前記溶接工程後、環状に配置された前記分割コアから前記溶接用芯金を引き抜く引き抜き工程と、
前記引き抜き工程後、環状に配置された前記各分割コアからなる前記ステータコアの径を前記ステータコアの内周に挿入された調整用芯金にて調整する調整工程と、
前記調整工程後、前記ステータコアを前記モータケースに圧入固定又は焼嵌め固定する固定工程と
を備えたことを特徴とするステータの製造方法。
【請求項２】
請求項１に記載のステータの製造方法において、
前記固定工程において、前記調整用芯金が前記ステータコアの内周に挿入された状態で前記ステータコアを前記モータケースに圧入固定又は焼嵌め固定し、その後、前記調整用芯金を前記ステータコアから取り除くことを特徴とするステータの製造方法。
【請求項３】
請求項１又は２に記載のステータの製造方法において、
前記ティース部の径方向内側端部と当接する前記調整用芯金の外周面の径が拡縮可能に構成されたことを特徴とするステータの製造方法。
【請求項４】
環状部と該環状部から径方向内側に突出する複数のティース部とを有するステータコアがモータケースの内周面に固定され、
前記ステータコアは、前記環状部を周方向に分割した形状の分割環状部と該分割環状部毎に設けられる前記ティース部とからなる分割コアが周方向に複数並列されて構成されたステータの製造装置であって、
環状に配置された前記分割コアの内周に配置され、その分割コアの環状状態を維持させるための溶接用芯金を備え、
前記溶接用芯金の外径は、周方向に隣り合う前記分割環状部同士の間に間隙を生じさせることが可能な寸法に設定され、
周方向に隣り合う前記分割環状部同士の間に間隙を持たせた状態で該各分割環状部間を溶接した後の前記ステータコアの径を前記ステータコアの内周に挿入し調整する調整用芯金を備えたことを特徴とするステータの製造装置。
【請求項５】
環状部と該環状部から径方向内側に突出する複数のティース部とを有するステータコアがモータケースの内周面に固定され、
前記ステータコアは、前記環状部を周方向に分割した形状の分割環状部と該分割環状部毎に設けられる前記ティース部とからなる分割コアが周方向に複数並列されて構成されたステータの製造方法であって、
溶接用芯金の外周面に前記ティース部の径方向内側端部を当接させつつ該芯金の周りに前記分割コアを環状に配置した後、周方向に隣り合う前記分割環状部同士を接触させることなく該分割環状部同士の間に間隙を持たせた状態で該各分割環状部間を溶接する溶接工程と、
前記溶接工程後、環状に配置された前記分割コアから前記溶接用芯金を引き抜く引き抜き工程と、
前記引き抜き工程後、環状に配置された前記各分割コアからなる前記ステータコアの径を調整する調整工程と、
前記調整工程後、前記ステータコアを前記モータケースに圧入固定又は焼嵌め固定する固定工程と
を備えたことを特徴とするステータの製造方法。
【発明の詳細な説明】
【技術分野】
【０００１】
本発明は、分割コア構造を有するステータの製造方法及び製造装置に関するものである。
【背景技術】
【０００２】
従来、ブラシレスモータのステータは、環状部及び該環状部から径方向内側に突出する複数のティース部を有するステータコアと、各ティース部にそれぞれ巻線が巻装されてなるコイルとを備え、このステータ（ステータコア）がモータケース内に圧入固定又は焼き嵌めされるようになっている。このようなステータのステータコアとしては、例えば、特許文献１に示すように、環状部を周方向に分割した形状の分割環状部とその分割環状部から突出する上記ティース部とをそれぞれ有する複数の分割コアからなり、分割環状部が環状とされる前にティース部に巻線を巻装することでその巻装作業を容易にしたものがある。
【先行技術文献】
【特許文献】
【０００３】
【特許文献１】特開２００９−１８３０５８号公報
【発明の概要】
【発明が解決しようとする課題】
【０００４】
しかしながら、上記のような分割コアによりステータコアを構成するものでは、各分割コアを環状に配置して固定しなければならないため、複数のティース部を一体的に成形したステータコアに比べ、ステータコア（ステータ）の真円度の低下等を招きやすいといった問題が生じる。ステータコアの真円度が低下すると、ステータコアとロータマグネットとの間のエアギャップが不均一となり易く、ロストルクやコギングトルクが増大してしまう。また、ステータコアの真円度が低下すると、ステータコアをモータケースに嵌め込む際に、ステータコアやモータケースが削れてしまったり、ステータコアがモータケースに食い込んでしまったりする、所謂かしりが生じるという問題がある。
【０００５】
そこで、上記特許文献１に示される方法では、モータケース内に径方向に隙間を有してステータコアが挿入配置され、その後、ステータコアの配置位置と対応するモータケースの外周面にリング部材が圧入又は焼嵌め固定される。そして、そのリング部材の固定によるモータケースの内径収縮にて、該モータケースの内周面にステータコアが固定されるようになっている。これにより、ステータコアをモータケースに嵌め込む際の前記かしりの発生を抑制しつつも、ステータコアをモータケース内に固定することができるようになっている。しかしながら、このような方法では、リング部材が必要であるため、部品点数が増加するという問題があり、この点においてなお、改善の余地があった。
【０００６】
本発明は、上記課題を解決するためになされたものであって、その目的は、部品点数の増加を抑えつつも、ステータコアの真円度を向上させることが可能なステータの製造方法及びステータの製造装置を提供することにある。
【課題を解決するための手段】
【０００７】
上記課題を解決するために、請求項１に記載の発明は、環状部と該環状部から径方向内側に突出する複数のティース部とを有するステータコアがモータケースの内周面に固定され、前記ステータコアは、前記環状部を周方向に分割した形状の分割環状部と該分割環状部毎に設けられる前記ティース部とからなる分割コアが周方向に複数並列されて構成されたステータの製造方法であって、溶接用芯金の外周面に前記ティース部の径方向内側端部を当接させつつ該芯金の周りに前記分割コアを環状に配置した後、周方向に隣り合う前記分割環状部同士の間に間隙を持たせた状態で該各分割環状部間を溶接する溶接工程と、前記溶接工程後、環状に配置された前記分割コアから前記溶接用芯金を引き抜く引き抜き工程と、前記引き抜き工程後、環状に配置された前記各分割コアからなる前記ステータコアの径を前記ステータコアの内周に挿入された調整用芯金にて調整する調整工程と、前記調整工程後、前記ステータコアを前記モータケースに圧入固定又は焼嵌め固定する固定工程とを備えたことを特徴とする。
【０００８】
この発明では、溶接工程において周方向に隣り合う分割環状部同士の間に間隙を持たせた状態で該各分割環状部間が溶接されることで、ステータコアの径の調整が許容された状態で各分割コア間が連結される。このため、引き抜き工程後の調整工程において、ステータコアをモータケースに圧入固定又は焼嵌め固定するのに適切な寸法にステータコアの径を調整することが可能となる。これにより、真円度の高いステータコアを製造可能となるため、ステータコアをモータケースに圧入固定又は焼嵌め固定する際に、ステータコアやモータケースが削れてしまったり、ステータコアがモータケースに食い込んでしまったりする、所謂かしりの発生を抑えることができる。また、このかしりの発生が抑えられることで、モータケースに組み込まれたステータコアの寸法不良の発生を抑えることができる。このように本発明では、モータケースの外周面に設けられるリング部材等を必要としないため、部品点数の増加を抑えつつも、ステータコアの真円度を向上させることが可能となる。
【００１０】
この発明では、調整工程においてステータコアの内周に挿入された調整用芯金にて該ステータコアの径が調整されるため、ステータコアの真円度を好適に調整することが可能となる。
【００１１】
請求項２に記載の発明は、請求項１に記載のステータの製造方法において、前記固定工程において、前記調整用芯金が前記ステータコアの内周に挿入された状態で前記ステータコアを前記モータケースに圧入固定又は焼嵌め固定し、その後、前記調整用芯金を前記ステータコアから取り除くことを特徴とする。
【００１２】
この発明では、調整用芯金が前記ステータコアの内周に挿入された状態で、該ステータコアがモータケースに圧入固定又は焼嵌め固定され、その固定後に調整用芯金がステータコアから取り除かれる。このため、調整用芯金をステータコアから取り除いた後にステータコアをモータケースに圧入固定又は焼嵌め固定する場合と比較して、ステータコアの真円度を向上させることができる。
【００１３】
請求項３に記載の発明は、請求項１又は２に記載のステータの製造方法において、前記ティース部の径方向内側端部と当接する前記調整用芯金の外周面の径が拡縮可能に構成されたことを特徴とする。
【００１４】
この発明では、調整用芯金をティース部の径方向内側端部との間に隙間を空けて挿入した後、該調整用芯金の外周面を拡径させることでステータコアの径を調整することが可能となる。これにより、ステータコアの真円度をより好適に調整することが可能となる。
【００１５】
請求項４に記載の発明は、環状部と該環状部から径方向内側に突出する複数のティース部とを有するステータコアがモータケースの内周面に固定され、前記ステータコアは、前記環状部を周方向に分割した形状の分割環状部と該分割環状部毎に設けられる前記ティース部とからなる分割コアが周方向に複数並列されて構成されたステータの製造装置であって、環状に配置された前記分割コアの内周に配置され、その分割コアの環状状態を維持させるための溶接用芯金を備え、前記溶接用芯金の外径は、周方向に隣り合う前記分割環状部同士の間に間隙を生じさせることが可能な寸法に設定され、周方向に隣り合う前記分割環状部同士の間に間隙を持たせた状態で該各分割環状部間を溶接した後の前記ステータコアの径を前記ステータコアの内周に挿入し調整する調整用芯金を備えたことを特徴とする。
【００１６】
この発明では、溶接用芯金の周りに分割コアを環状に配置した後、周方向に隣り合う分割環状部同士の間に間隙を持たせた状態で該各分割環状部間を溶接することが可能となる。これにより、ステータコアの径の調整が許容された状態で各分割コア間を連結することが可能となり、ステータコアをモータケースに圧入固定又は焼嵌め固定するのに適切な寸法にステータコアの径を調整することが可能となる。これにより、真円度の高いステータコアを製造可能となるため、ステータコアをモータケースに圧入固定又は焼嵌め固定する際に、ステータコアやモータケースが削れてしまったり、ステータコアがモータケースに食い込んでしまったりする、所謂かしりの発生を抑えることができる。また、このかしりの発生が抑えられることで、モータケースに組み込まれたステータコアの寸法不良の発生を抑えることができる。このように本発明では、モータケースの外周面に設けられるリング部材等を必要としないため、部品点数の増加を抑えつつも、ステータコアの真円度を向上させることが可能となる。
また、ステータコアの内周に挿入された調整用芯金にて該ステータコアの径が調整されるため、ステータコアの真円度を好適に調整することが可能となる。
請求項５に記載の発明は、環状部と該環状部から径方向内側に突出する複数のティース部とを有するステータコアがモータケースの内周面に固定され、前記ステータコアは、前記環状部を周方向に分割した形状の分割環状部と該分割環状部毎に設けられる前記ティース部とからなる分割コアが周方向に複数並列されて構成されたステータの製造方法であって、溶接用芯金の外周面に前記ティース部の径方向内側端部を当接させつつ該芯金の周りに前記分割コアを環状に配置した後、周方向に隣り合う前記分割環状部同士を接触させることなく該分割環状部同士の間に間隙を持たせた状態で該各分割環状部間を溶接する溶接工程と、前記溶接工程後、環状に配置された前記分割コアから前記溶接用芯金を引き抜く引き抜き工程と、前記引き抜き工程後、環状に配置された前記各分割コアからなる前記ステータコアの径を調整する調整工程と、前記調整工程後、前記ステータコアを前記モータケースに圧入固定又は焼嵌め固定する固定工程とを備えたことを特徴とする。
この発明では、溶接工程において周方向に隣り合う分割環状部同士の間に間隙を持たせた状態で該各分割環状部間が溶接されることで、ステータコアの径の調整が許容された状態で各分割コア間が連結される。このため、引き抜き工程後の調整工程において、ステータコアをモータケースに圧入固定又は焼嵌め固定するのに適切な寸法にステータコアの径を調整することが可能となる。これにより、真円度の高いステータコアを製造可能となるため、ステータコアをモータケースに圧入固定又は焼嵌め固定する際に、ステータコアやモータケースが削れてしまったり、ステータコアがモータケースに食い込んでしまったりする、所謂かしりの発生を抑えることができる。また、このかしりの発生が抑えられることで、モータケースに組み込まれたステータコアの寸法不良の発生を抑えることができる。このように本発明では、モータケースの外周面に設けられるリング部材等を必要としないため、部品点数の増加を抑えつつも、ステータコアの真円度を向上させることが可能となる。
【発明の効果】
【００１７】
従って、上記記載の発明によれば、部品点数の増加を抑えつつも、ステータコアの真円度を向上させることが可能となる。
【図面の簡単な説明】
【００１８】
【図１】（ａ）は本実施形態におけるブラシレスモータの平面図、（ｂ）は図１（ａ）におけるＡ−Ａ線断面図。
【図２】（ａ）はステータをホルダ側から見た平面図、（ｂ）は図２（ａ）におけるＢ−Ｂ線断面図。
【図３】溶接用芯金の部分断面図。
【図４】調整用芯金の部分断面図。
【図５】環状治具を模式的に示す平面図。
【図６】溶接工程を説明するための説明図。
【図７】調整工程を説明するための説明図。
【図８】固定工程を説明するための説明図。
【発明を実施するための形態】
【００１９】
以下、本発明を具体化した一実施形態を図面に従って説明する。
まず、本実施形態のステータの製造方法及び製造装置を説明する前に、その製造方法及び製造装置にて製造されたステータを備えるブラシレスモータについて説明する。
【００２０】
図１（ａ）（ｂ）及び図２（ａ）（ｂ）に示すように、ブラシレスモータ１のモータケース２は、有底筒状に形成されるとともに、その内周面２ａには略円筒状のステータ３が固定されている。ステータ３の内側には、モータケース２の底部中央に設けられた軸受４を介してロータ５が回転可能に配置されている。また、ロータ５を構成する回転軸６には、円筒状のロータコア７が固定されるとともに、該ロータコア７の外周面には所定角度ごとに異なる極性（Ｎ極、Ｓ極）に着磁されたマグネット８が固着されている。そして、ステータ３におけるモータケース２の開口部側の端部には、絶縁性を有する合成樹脂材料よりなるホルダ９が固定されるとともに、該ホルダ９は、ステータ３の軸線方向一端側を覆っている。
【００２１】
図２（ａ）（ｂ）に示すように、ステータ３を構成するステータコア１０は、軸方向から見た形状がＴ字状をなす１２個の分割コア１１を周方向に連結して円環状に構成されている。各分割コア１１は、軸方向から見た形状が円弧状をなす分割環状部１２と、該分割環状部１２の周方向の中央部から径方向内側に延びるティース部１３とから構成されている。各分割コア１１は、分割コア１１の軸方向となる方向に電磁鋼板を複数枚（例えば数十枚）積層してなるとともに、電磁鋼板同士は軸方向にそれぞれかしめられて一体化されている。本実施形態では、各分割コア１１同士は分割環状部１２の周方向両端がレーザ溶接されることで固定されている。各分割コア１１には、各分割コア１１の軸方向の両端面及び周方向の両側面を被覆するボビン１４が軸方向の両側から装着されている。そして、ティース部１３には、ボビン１４の上から巻線１５が集中巻きにて複数回巻回されることによりコイル１６がそれぞれ巻装されている。
【００２２】
そして、図１（ａ）に示すように、各コイル１６の接続端部１６ａは、ホルダ９のステータ３と反対側の面まで引き出されて、ホルダ９におけるステータ３と反対側の面に配置された複数（本実施形態では４個）のターミナル１７にそれぞれ結線される。このように構成されたブラシレスモータ１では、駆動電源（図示略）から三相の励磁電流が各ターミナル１７（本実施形態では、図１（ａ）における上側に配置された３つ）を介して各コイル１６に対して供給されると、各コイル１６がそれぞれ励磁されてステータ３に回転磁界が発生し、その回転磁界に基づいてロータ５が回転するようになっている。
【００２３】
［ステータの製造方法］
次に、ブラシレスモータ１に備えられる上記のステータ３を製造する製造方法について図３〜図８に従って説明する。
【００２４】
本実施形態のステータ３の製造装置は、図３に示す溶接用芯金２１と、図４に示す調整用芯金３１と、図５に示す環状治具４１とを有する。
まず、分割コア１１を環状化してステータコア１０を成形するための溶接用芯金２１について説明する。図３に示すように、溶接用芯金２１はシャフト２２を備える。シャフト２２は、軸方向下側部分が同一径をなす円柱部２２ａで構成されるとともに、軸方向上側部分には、軸方向上側端部に向かうにつれて縮径する略円錐形状をなすテーパ部２２ｂが形成されている。
【００２５】
シャフト２２の円柱部２２ａは、軸方向に並ぶベース部２３ａとホルダ部２３ｂを貫通するとともに、該円柱部２２ａには、ホルダ部２３ｂを貫通するバネ２３ｃが外挿されている。バネ２３ｃの上端はホルダ部２３ｂの下面と接しているとともに、バネ２３ｃの下端はシャフト２２の下端部に固着されたバネストッパ２４ａと接している。バネストッパ２４ａは、固定ナット２４ｂによって共締めされることによってシャフト２２の下端に固着されている。これにより、バネ２３ｃはシャフト２２を下側に付勢するようになっている。
【００２６】
溶接用芯金２１のテーパ部２２ｂの外周には、周方向に並ぶ３個の拡縮部２５ａから構成される分割コア配置部２５が設けられている。各拡縮部２５ａの内周面は、軸方向下側に向かうにつれて拡径するテーパ面２５ｂとなっており、該テーパ面２５ｂはシャフト２２のテーパ部２２ｂと接触している。これにより、シャフト２２が軸方向上方にスライドされると、各拡縮部２５ａはテーパ部２２ｂと摺接しつつ拡径し、反対にシャフト２２が軸方向下方にスライドされると、各拡縮部２５ａはテーパ部２２ｂと摺接しつつ縮径するようになっている。このように、各拡縮部２５ａからなる分割コア配置部２５の外径Ｄ１が拡縮可能となっている。
【００２７】
シャフト２２の上端には、各拡縮部２５ａと係合可能なキャップ２６が設けられている。また、ホルダ部２３ｂの上面には、各拡縮部２５ａと係合可能な位置決め部２７が設けられている。キャップ２６と位置決め部２７は、分割コア配置部２５の外径Ｄ１を決定するためのものである。尚、位置決め部２７の外周面には、ステータコア１０を軸方向に位置決めするための軸方向位置決め部２８が設けられている。
【００２８】
図４に示す調整用芯金３１は、上記の溶接用芯金２１と略同様の構成であるが、モータケース２を軸方向に位置決めするためのケース位置決め部３２がベース部２３ａに設けられている点で溶接用芯金２１とは異なっている。尚、この調整用芯金３１において、溶接用芯金２１と同様の構成に関しては同一の符号を付して詳細な説明を省略する。
【００２９】
図５に示す環状治具４１は、後述する溶接工程において環状に配置された各分割コア１１を外周側から押圧保持するためのものである。環状治具４１は、略円筒状をなすとともに、その径が拡縮可能に構成されている。また、環状治具４１には、径方向に貫通する複数のスリット４１ａが周方向等間隔に形成されている。
【００３０】
次に、ステータ３の製造方法について詳述する。
まず、ティース部１３にコイル１６が巻装された状態の各分割コア１１を略環状にするとともに、その各分割コア１１の内周側に溶接用芯金２１の分割コア配置部２５が挿入される。このとき、分割コア１１は、溶接用芯金２１の軸方向位置決め部２８と軸方向に当接して位置決めされるようになっている。また、このとき、分割コア配置部２５の外径Ｄ１は、各分割コア１１の内周側への挿入を容易にすべく縮径されている。その後、分割コア配置部２５を拡径させて、その外周面を各分割コア１１のティース部１３の先端部１３ａ（径方向内側端部）に当接させるとともに、分割コア配置部２５の外径Ｄ１を、ステータコア１０の内径規格上限よりも若干大きい径で固定する。このとき、図６において分割環状部１２の右側の周方向端部を第１端部１２ａとし、左側の周方向端部を第２端部１２ｂとして、周方向に隣り合う分割環状部１２同士の第１端部１２ａと第２端部１２ｂとの間に間隙Ｓがそれぞれ形成される。
【００３１】
その後、環状治具４１を分割コア１１の外周に配置し、この環状治具４１にて各分割コア１１を径方向内側に加圧する。尚、環状治具４１は周方向に亘って均一な力で分割コア１１を加圧可能となっている。そして、この加圧状態で、環状治具４１の各スリット４１ａを介して周方向に隣り合う分割環状部１２同士の第１端部１２ａと第２端部１２ｂとの間をそれぞれレーザ溶接する（溶接工程）。このレーザ溶接によって、第１端部１２ａと第２端部１２ｂとはその外周側部分のレーザ溶接部１２ｃで溶接される。また、レーザ溶接後においても、隣り合う分割環状部１２の第１端部１２ａと第２端部１２ｂとの間の間隙Ｓは維持される。
【００３２】
次に、環状に配置された分割コア１１（ステータコア１０）から溶接用芯金２１を軸方向に引き抜く（引き抜き工程）。ここで、隣り合う分割環状部１２の第１端部１２ａと第２端部１２ｂとの間に間隙Ｓが形成されているため、溶接用芯金２１を引き抜いた時にステータコア１０が縮径（又は縮径に伴って変形）する現象が生じる。
【００３３】
次に、ステータコア１０の内径を調整する調整工程を行う。この調整工程では、まず、ステータコア１０の内周側に調整用芯金３１の分割コア配置部２５を挿入する。その後、図７に示すように、分割コア配置部２５を拡径してティース部１３の先端部１３ａに当接させるとともに、分割コア配置部２５の外径Ｄ２を所定の大きさ（溶接用芯金２１の外径Ｄ１及び内径規格上限よりも小さい値）まで拡径することでステータコア１０を外周側に押し広げてその内径を調整する。このとき、ステータコア１０の外径も拡大するが、その拡大量を最小限に抑えつつ内径の真円度が向上するように調整する。
【００３４】
その後、図８に示すように、ステータコア１０の内周に調整用芯金３１の分割コア配置部２５が挿入されて内外径が適正に調整された状態のまま、ステータ３の軸とモータケース２の軸を合わせてステータコア１０をモータケース２に焼嵌め固定する（固定工程）。このとき、モータケース２は、調整用芯金３１のケース位置決め部３２と軸方向に当接して位置決めされるようになっている。焼嵌め固定した後、ステータコア１０から調整用芯金３１を軸方向に取り除く。
【００３５】
次に、本実施形態の作用について説明する。
溶接工程において、隣り合う分割環状部１２間に間隙Ｓを持たせた状態でその各分割環状部１２間を溶接するため、その後のステータコア１０の径の調整が許容される。そして、調整工程でステータコア１０の外径の拡大量を最小限に抑えつつ内径の真円度が向上するように調整するため、その後の固定工程において、ステータコア１０の外周面１０ａとモータケース２の内周面２ａとの間のクリアランスＺが周方向全体に亘って最大限確保されるようになっている。このため、ステータコア１０をモータケース２に焼嵌め固定する際に、ステータコア１０やモータケース２が削れてしまったり、ステータコア１０がモータケース２に食い込んでしまったりする、所謂かしりの発生が抑えられ、その結果、かしりによって生じるステータコア１０の寸法不良の発生が抑えられるようになっている。
【００３６】
次に、本実施形態の特徴的な効果を記載する。
（１）本実施形態では、溶接用芯金２１（分割コア配置部２５）の外周面にティース部１３の先端部１３ａを当接させつつ該溶接用芯金２１の周りに分割コア１１を環状に配置した後、周方向に隣り合う分割環状部１２同士の間に間隙Ｓを持たせた状態で該各分割環状部１２間が溶接される。これにより、ステータコア１０の径の調整が許容された状態で各分割コア１１間が連結される。このため、ステータコア１０から溶接用芯金２１を引き抜いた後の調整工程において、ステータコア１０をモータケース２に焼嵌め固定するのに適切な寸法にステータコア１０の径を調整することが可能となる。これにより、真円度の高いステータコア１０を製造可能となるため、ステータコア１０をモータケース２に焼嵌め固定する際に、ステータコア１０やモータケース２が削れてしまったり、ステータコア１０がモータケース２に食い込んでしまったりする、所謂かしりの発生を抑えることができる。その結果、このかしりによって生じるステータコア１０の寸法不良の発生を抑えることができる。このように本発明では、モータケース２の外周面に設けられるリング部材等を必要としないため、部品点数の増加を抑えつつも、ステータコア１０の真円度を向上させることが可能となる。
【００３７】
（２）本実施形態では、調整工程においてステータコア１０の内周に挿入された調整用芯金３１にて該ステータコア１０の径が調整されるため、ステータコア１０の真円度を好適に調整することが可能となる。
【００３８】
（３）本実施形態では、調整用芯金３１がステータコア１０の内周に挿入された状態で、該ステータコア１０がモータケース２に焼嵌め固定され、その固定後に調整用芯金３１がステータコア１０から取り除かれる。このため、調整用芯金３１をステータコア１０から取り除いた後にステータコア１０をモータケース２に焼嵌め固定する場合と比較して、ステータコア１０の真円度を向上させることができる。
【００３９】
（４）本実施形態では、ティース部１３の先端部１３ａと当接する調整用芯金３１（分割コア配置部２５）の外周面の径が拡縮可能に構成される。このため、調整用芯金３１をティース部１３の先端部１３ａとの間に隙間を空けて挿入した後、該調整用芯金３１の外周面を拡径させることでステータコア１０の径を調整することが可能となる。これにより、ステータコア１０の真円度をより好適に調整することが可能となる。
【００４０】
尚、本発明の実施形態は、以下のように変更してもよい。
・上記実施形態では、ステータコア１０をモータケース２に焼嵌め固定した後に調整用芯金３１をステータコア１０から取り除いたが、調整用芯金３１をステータコア１０から取り除いた後に該ステータコア１０をモータケース２に固定してもよい。
【００４１】
・上記実施形態では、固定工程において、ステータコア１０をモータケース２に焼嵌め固定したが、これに特に限定されるものではなく、圧入固定としてもよい。
・上記実施形態では、溶接用芯金２１の分割コア配置部２５を拡縮可能に構成したが、これに特に限定されるものではなく、拡縮不能としてもよい。
【００４２】
次に、上記実施形態及び別例から把握できる技術的思想を以下に追記する。
（イ）  ステータの製造方法、又はステータの製造装置を用いて製造されたことを特徴とするステータ。
【００４３】
これにより、部品点数の増加を抑えつつもステータコアの真円度を向上させることが可能となる。
【符号の説明】
【００４４】
１…ブラシレスモータ、２…モータケース、２ａ…モータケースの内周面、３…ステータ、１０…ステータコア、１０ａ…ステータコアの外周面、１１…分割コア、１２…分割環状部、１３…ティース部、２１…溶接用芯金、３１…調整用芯金（調整手段）、Ｄ１…溶接用芯金の分割コア配置部の外径、Ｄ２…調整用芯金の分割コア配置部の外径、Ｓ…間隙。
【図１】
0005723169.tif 000002
【図２】
0005723169.tif 000003
【図３】
0005723169.tif 000004
【図４】
0005723169.tif 000005
【図５】
0005723169.tif 000006
【図６】
0005723169.tif 000007
【図７】
0005723169.tif 000008
【図８】
0005723169.tif 000009